(57)【要約】【課題】  多数の映像表示機器をデイジーチェーン接続した時の映像表示機器間のＥＤＩＤ伝送トラブルによる不具合発生の防止、もしくは、不具合からの復旧をユーザ側に負担をかけることなく行う【解決手段】  ＥＤＩＤの伝送が行われる第１のケーブルと異なる第２のケーブルによりネットワーク接続され、電源投入後に、マスタ映像表示機器およびスレーブ映像表示機器は、スレーブ映像表示機器のすべての電源がＯＮとなったことを確認する電源確認動作を行った後にＥＤＩＤの伝送を行う。【選択図】  図８
2017156414.tif 000002
【特許請求の範囲】
【請求項１】
ＥＤＩＤを用いて機器間認証を行い、電源供給用のピンおよびホットプラグ検出用のピンを備えたコネクタが使用されるインターフェースによりＳｏｕｒｃｅ機器にマスタ映像表示機器と少なくとも１以上のスレーブ映像表示機器がデイジーチェーン接続されるマルチ表示システムであって、
前記マスタ映像表示機器およびスレーブ映像表示機器は、前記ＥＤＩＤの伝送が行われる第１のケーブルと異なる第２のケーブルによりネットワーク接続され、電源投入後に、前記マスタ映像表示機器およびスレーブ映像表示機器は、前記スレーブ映像表示機器のすべての電源がＯＮとなったことを確認する電源確認動作を行い、その後、前記マスタ映像表示機器およびスレーブ映像表示機器は、機器判別動作として、前記第１のケーブルを用いて前記ホットプラグ検出用のピンの確認を行い、Ｌｏｗである場合にはＳｉｎｋ機器として動作し、Ｈｉｇｈである場合には前記ＥＤＩＤの伝送要求を行い、前記ＥＤＩＤの受信に成功した場合にはＲｅｐｅａｔｅｒ機器として動作し、前記ＥＤＩＤの受信に所定数失敗した場合には、Ｓｉｎｋ機器として動作するマルチ表示システム。
【請求項２】
請求項１記載のマルチ表示システムにおいて、
前記電源確認動作後、前記機器判別動作の前に、前記マスタ映像表示装置は前記第１のケーブルを用いて前記スレーブ映像表示機器に対して前記ＥＤＩＤを自身に接続されている前記スレーブ映像表示機器までコピーさせる要求を行うマルチ表示システム。
【請求項３】
ＥＤＩＤを用いて機器間認証を行い、電源供給用のピンおよびホットプラグ検出用のピンを備えたコネクタが使用されるインターフェースにより、Ｓｏｕｒｃｅ機器と少なくとも１以上のスレーブ映像表示機器との間にデイジーチェーン接続されるマスタ映像表示機器であって、
前記スレーブ映像表示機器と、前記ＥＤＩＤの伝送が行われる第１のケーブルと異なる第２のケーブルによりネットワーク接続され、電源投入後に、前記スレーブ映像表示機器とともに、前記スレーブ映像表示機器のすべての電源がＯＮとなったことを確認する電源確認動作を行い、その後、機器判別動作として、前記第１のケーブルを用いて前記ホットプラグ検出用のピンの確認を行い、Ｌｏｗである場合にはＳｉｎｋ機器として動作し、Ｈｉｇｈである場合には前記ＥＤＩＤの伝送要求を行い、前記ＥＤＩＤの受信に成功した場合にはＲｅｐｅａｔｅｒ機器として動作し、前記ＥＤＩＤの受信に所定数失敗した場合には、Ｓｉｎｋ機器として動作するマスタ映像表示機器。
【請求項４】
請求項３記載のマスタ映像表示機器において、
前記電源確認動作後、前記機器判別動作の前に、前記第１のケーブルを用いて前記スレーブ映像表示機器に対して前記ＥＤＩＤを自身に接続されている前記スレーブ映像表示機器までコピーさせる要求を行うマスタ映像表示機器。
【請求項５】
ＥＤＩＤを用いて機器間認証を行い、電源供給用のピンおよびホットプラグ検出用のピンを備えたコネクタが使用されるインターフェースによりＳｏｕｒｃｅ機器とマスタ映像表示機器とデイジーチェーン接続される少なくとも１以上のスレーブ映像表示機器であって、
前記マスタ映像表示機器と、前記ＥＤＩＤの伝送が行われる第１のケーブルと異なる第２のケーブルによりネットワーク接続され、電源投入後に、前記マスタ映像表示機器とともに、前記スレーブ映像表示機器のすべての電源がＯＮとなったことを確認する電源確認動作を行い、その後、機器判別動作として、前記第１のケーブルを用いて前記ホットプラグ検出用のピンの確認を行い、Ｌｏｗである場合にはＳｉｎｋ機器として動作し、Ｈｉｇｈである場合には前記ＥＤＩＤの伝送要求を行い、前記ＥＤＩＤの受信に成功した場合にはＲｅｐｅａｔｅｒ機器として動作し、前記ＥＤＩＤの受信に所定数失敗した場合には、Ｓｉｎｋ機器として動作するスレーブ映像表示機器。
【請求項６】
ＥＤＩＤを用いて機器間認証を行い、電源供給用のピンおよびホットプラグ検出用のピンを備えたコネクタが使用されるインターフェースによりＳｏｕｒｃｅ機器にマスタ映像表示機器と少なくとも１以上のスレーブ映像表示機器がデイジーチェーン接続されるマルチ表示システムで行われる表示不具合発生防止方法であって、
前記マスタ映像表示機器およびスレーブ映像表示機器は、前記ＥＤＩＤの伝送が行われる第１のケーブルと異なる第２のケーブルによりネットワーク接続され、電源投入後に、前記マスタ映像表示機器およびスレーブ映像表示機器は、前記スレーブ映像表示機器のすべての電源がＯＮとなったことを確認する電源確認動作を行い、その後、前記マスタ映像表示機器およびスレーブ映像表示機器は、機器判別動作として、前記第１のケーブルを用いて前記ホットプラグ検出用のピンの確認を行い、Ｌｏｗである場合にはＳｉｎｋ機器として動作し、Ｈｉｇｈである場合には前記ＥＤＩＤの伝送要求を行い、前記ＥＤＩＤの受信に成功した場合にはＲｅｐｅａｔｅｒ機器として動作し、前記ＥＤＩＤの受信に所定数失敗した場合には、Ｓｉｎｋ機器として動作する表示不具合発生防止方法。
【請求項７】
請求項６記載の表示不具合発生防止方法において、
前記電源確認動作後、前記機器判別動作の前に、前記マスタ映像表示装置は前記第１のケーブルを用いて前記スレーブ映像表示機器に対して前記ＥＤＩＤを自身に接続されている前記スレーブ映像表示機器までコピーさせる要求を行う表示不具合発生防止方法。
【発明の詳細な説明】
【技術分野】
【０００１】
本発明は、マルチ表示システム、映像表示機器、マルチ表示システムにおける表示不具合発生防止方法に関する。
【背景技術】
【０００２】
特許文献１に開示されるような、１つの映像を複数のプロジェクタやモニタなどの表示機器を用いて表示するマルチ表示システムが知られている。マルチ表示システムによる映像は、単体の表示機器で表示する映像よりも大画面、高解像度で表示することが可能であることから、マルチ表示システムはイベント会場、ショールーム等で広く利用されている。
【０００３】
図１はプロジェクタを用いたマルチ表示システムの一例を示す図である。本システムはＨＤＭＩ（登録商標：Ｈｉｇｈ−Ｄｅｆｉｎｉｔｉｏｎ  Ｍｕｌｔｉｍｅｄｉａ  Ｉｎｔｅｒｆａｃｅ：ハイデフィニション  マルチメディア  インターフェース）ケーブル６によりデイジーチェーン接続されたプロジェクタ１号機〜４号機（以下、プロジェクタ１〜４）を備えており、映像を出力する機器（以下、Ｓｏｕｒｃｅ（ソース）機器）としてのＰＣ（Ｐｅｒｓｏｎａｌ  Ｃｏｍｐｕｔｅｒ：パーソナル  コンピュータ）５から出力された映像は、プロジェクタ１〜４を用いて１つの映像としてスクリーン７に表示されている。この時、各プロジェクタは映像を投写する映像表示機器（以下、Ｓｉｎｋ（シンク）機器）として動作するが、プロジェクタ１〜３は、受信した映像信号を後ろにつなげられた別のＳｉｎｋ機器へ送る中継機器（以下、Ｒｅｐｅａｔｅｒ（リピータ）機器）としても動作する。ここで、Ｓｏｕｒｃｅ機器５と接続されたプロジェクタ１をマスタプロジェクタと称し、Ｒｅｐｅａｔｅｒ機器として接続されたプロジェクタ２〜３をスレーブプロジェクタと称する。
【０００４】
Ｓｉｎｋ機器はＥＤＩＤ（Ｅｘｔｅｎｄｅｄ  Ｄｉｓｐｌａｙ  Ｉｄｅｎｔｉｆｉｃａｔｉｏｎ  Ｄａｔａ：エクステンデッド  ディスプレイ  アイデンティフィケーション  データ）と呼ばれる機器自身の情報や、対応している機能や、性能に関する情報が収録されたデータを保持しており、Ｓｏｕｒｃｅ機器と接続された際に、ＥＤＩＤをＳｏｕｒｃｅ機器に送信する。Ｓｏｕｒｃｅ機器はＳｉｎｋ機器から送られてきたＥＤＩＤを参照してＳｉｎｋ機器に合った映像信号を出力する。
【０００５】
図２は、Ｓｏｕｒｃｅ機器とＳｉｎｋ機器の接続時の処理を時系列で示す図である。
【０００６】
図２では例としてＨＤＭＩでの接続手順を記載している。図２に示される接続処理は、Ｓｏｕｒｃｅ機器が、Ｓｏｕｒｃｅ機器に接続されたＳｉｎｋ機器の映像受信部へ＋５Ｖを供給することから始まる。＋５Ｖ供給は、Ｓｏｕｒｃｅ機器とＳｉｎｋ機器を接続するＨＤＭＩケーブル６内の＋５Ｖ専用のラインを通じて行われ、Ｓｉｎｋ機器内の映像受信部へ＋５Ｖが供給される。Ｓｉｎｋ機器の映像受信部はこの＋５Ｖの電源により動作を開始する。
【０００７】
映像受信部が動作を開始するとＳｉｎｋ機器は、不揮発性メモリ（例えば、ＳＲＡＭ（Ｓｔａｔｉｃ  Ｒａｎｄｏｍ  Ａｃｃｅｓｓ  Ｍｅｍｏｒｙ：スタティック  ランダム  アクセス  メモリ））に記憶されている自身のＥＤＩＤを読み出す等の映像信号を受信するための準備を行い、準備が完了すると、ＨＤＭＩケーブル６内のＨＰＤ（Ｈｏｔ  Ｐｌｕｇ  Ｄｅｔｅｃｔ：ホット  プラグ  デテクト）ラインをＬ（＝Ｌｏｗ）からＨ（＝Ｈｉｇｈ）とする。Ｓｏｕｒｃｅ機器は、ＨＰＤがＨとなったことで映像信号を受信することが可能なＳｉｎｋ機器が接続されたことを判断する。Ｓｉｎｋ機器が接続されたと判断したＳｏｕｒｃｅ機器は、出力する映像信号を選択するため、ＨＤＭＩケーブル内のＤＤＣ／ＣＩ（Ｄｉｓｐｌａｙ  Ｄａｔａ  Ｃｈａｎｎｅｌ／Ｃｏｍｍａｎｄ  Ｉｎｔｅｒｆａｃｅ：ディスプレイ  データ  チャネル／コマンド  インターフェース）ラインを通じてＳｉｎｋ機器にＥＤＩＤの送信を求める。Ｓｉｎｋ機器はこの指示に従ってＥＤＩＤを送信し、Ｓｏｕｒｃｅ機器は受信したＥＤＩＤに示されるＳｉｎｋ機器に合った映像を出力する。この時、ＥＤＩＤ等の映像表示機器間の制御信号の伝送には、ＤＤＣやＣＥＣ（Ｃｏｎｓｕｍｅｒ  Ｅｌｅｃｔｒｏｎｉｃｓ  Ｃｏｎｔｒｏｌ：コンシューマー  エレクトロニクス  コントロール）が用いられる。この、接続処理を行う際にＳｉｎｋ機器の電源が入っていない場合には、不揮発性メモリに記録されたＥＤＩＤを伝送することは出来ない。
【０００８】
Ｓｏｕｒｃｅ機器とＳｉｎｋ機器の間にＲｅｐｅａｔｅｒ機器を接続した場合、Ｒｅｐｅａｔｅｒ機器は自身に接続されたＳｉｎｋ機器に対応した映像がＳｏｕｒｃｅ機器から出力されるように、接続されたＳｉｎｋ機器のＥＤＩＤを読み出し、それを自身にコピーしてＳｏｕｒｃｅ機器に通知する。この時のＳｏｕｒｃｅ機器とＲｅｐｅａｔｅｒ機器、Ｒｅｐｅａｔｅｒ機器とＳｉｎｋ機器の接続手順もＳｏｕｒｃｅ機器とＳｉｎｋ機器の接続手順と同様である。これらの手順によりＲｅｐｅａｔｅｒ機器がＳｉｎｋ機器よりコピーしてきたＥＤＩＤをＳｏｕｒｃｅ機器へ伝送することで、Ｓｏｕｒｃｅ機器はＳｉｎｋ機器に合わせた映像を出力する。
【０００９】
ここで、プロジェクタやモニタのように映像表示を行うＳｉｎｋ機器でありながら、映像出力端子を持つＲｅｐｅａｔｅｒ機器を兼ねた複数の映像表示機器をデイジーチェーン接続した場合、接続の末端であれば単に映像を表示するＳｉｎｋ機器として動作する。また、出力端子に別のＳｉｎｋ機器が接続されている場合には、映像を表示するだけでなく、別のＳｉｎｋ機器に映像信号を出力するＲｅｐｅａｔｅｒ機器として動作する。この時、Ｓｉｎｋ機器／Ｒｅｐｅａｔｅｒ機器の判断はＨＰＤの信号により行われる。また、出力端子に別のＳｉｎｋ機器が接続されていてＲｅｐｅａｔｅｒ機器として動作すべき接続の場合であってもＥＤＩＤの伝送に失敗した場合にはＳｉｎｋ機器として動作する。
【００１０】
図３は、映像表示機器がＲｅｐｅａｔｅｒ、Ｓｉｎｋのいずれであるかを判別する動作を示すフローチャートである。
【００１１】
映像表示機器は電源が投入されるとＨＰＤの信号を確認する（ステップＳ１）。ＨＰＤの信号がＬであることが確認された場合にはＳｉｎｋ機器として動作する（ステップＳ２）。ステップＳ１においてＨＰＤの信号がＨであることが確認された場合には、出力端子からＥＤＩＤを伝送することを要求する旨の信号を出力する（ステップＳ３）。その後、ＥＤＩＤの受信に成功したかを確認し（ステップＳ４）、ＥＤＩＤの受信に成功したことが確認された場合にはＲｅｐｅａｔｅｒ機器として動作する（ステップＳ５）。ステップＳ４にてＥＤＩＤの受信に失敗したことが確認された場合には伝送要求が何回目であるかを確認する（ステップＳ６）。ＥＤＩＤの伝送要求が１回目または２回目である場合にはステップＳ３に戻り、ＥＤＩＤの伝送要求が３回目である場合にはＳｉｎｋ機器として動作する（ステップＳ７）。
【００１２】
図１に示した例に則して説明すると、マスタプロジェクタにＳｉｎｋ機器が接続されていなければ、ＨＰＤはＬとなり、マスタプロジェクタはＳｉｎｋ機器として動作する。同様に、図１のプロジェクタ４は後段にＳｉｎｋ機器が接続されていないため、ＨＰＤはＬとなり、自身が末尾のＳｉｎｋ機器であると判断することが可能である。プロジェクタ１〜３のように後段に別のプロジェクタが接続されていれば、後段のプロジェクタによりＨＰＤがＨとなり、接続された機器があると判断して、図３に示した手順に従いＥＤＩＤの伝送を要求する。この時にスレーブプロジェクタからのＥＤＩＤの伝送及びコピーに成功すればＲｅｐｅａｔｅｒ機器として動作する。ここで、ＥＤＩＤの読み込みに失敗した場合にはＮＡＣＴ（Ｎｅｇａｔｉｖｅ  Ａｃｋｎｏｗｌｅｄｇｅｍｅｎｔ：ネガティブ  アクノウレッジメント）を返してＥＤＩＤの読み込みのリトライを行う。リトライを含めたＥＤＩＤの伝送要求の回数は機器によっても異なるが、おおよそどの機器でも３回行われ、それでもＥＤＩＤの読み込みに失敗した場合にはＳｉｎｋ機器として動作する。通常であれば、３回のＥＤＩＤの伝送要求中にＥＤＩＤの伝送は成功し、映像が表示される。
【先行技術文献】
【特許文献】
【００１３】
【特許文献１】特開２００３−３４５３２７号公報
【発明の概要】
【発明が解決しようとする課題】
【００１４】
Ｓｏｕｒｃｅ機器に、Ｒｅｐｅａｔｅｒ機器／Ｓｉｎｋ機器を兼ねた複数の映像表示機器をデイジーチェーン接続した際に、図４に示すように、接続された映像表示機器の一部（図４においてはプロジェクタ１）のみにより映像が表示され、他の映像表示機器による映像表示が行われないという不具合の発生が報告されている。このような映像表示の不具合の原因として表１に示す例が挙げられる。
【００１５】
【表１】
2017156414.tif 000003
【００１６】
表１に示した原因の中で、ＤＤＣラインが切れている場合のように、信号ラインが断線している場合には、ＨＤＭＩケーブルを交換することで映像表示の不具合を解消することが出来る。また、ＥＤＩＤデータが一部欠けている場合やチェックサムエラー、コピーエラーが発生した場合にはＨＤＭＩの規格によりリトライが数回行われる。もし、リトライに失敗し続けるようであれば、その原因としては、例えば、伝送信号と同等の周波数の外来ノイズの影響のような伝送路に問題があることや、装置から映像信号が出力されていないなどの装置に問題があることが考えられる。これらの不具合は、Ｓｏｕｒｃｅ機器とＳｉｎｋ機器を１対１で直結した場合でも頻繁に起こる一般的な不具合である。これらの不具合についての主な対策としては、映像表示機器間のケーブル交換やケーブル長を短くする、装置を交換する、など接続状態や装置自体を見直す必要があり、これらの対策は、ユーザ自身が実行することが必要となる。
【００１７】
また、別の原因としてＳｉｎｋ機器がＢＯＯＴ（ブート）中のためにＥＤＩＤの伝送に失敗するという例を挙げた。本来であればＳｉｎｋ機器はＥＤＩＤの伝送準備ができてからＨＰＤをＨとするために、このような不具合は起こらないはずである。しかしながら、デイジーチェーン接続時には伝送準備が未完了状態でＨＰＤがＨとなってしまい、結果的にＥＤＩＤの読み込みに失敗によって映像表示不具合が発生する事がしばしばある。
【００１８】
例えば、デイジーチェーン接続されたプロジェクタの電源を一斉に落とし、直後に一斉に電源を再投入した場合、図４に示すように接続されたプロジェクタのうち、伝送に不具合が発生したプロジェクタ２以後に接続されたプロジェクタ（図４の場合にはプロジェクタ２〜４）からは映像が表示されず、プロジェクタ１による映像のみが表示されるという不具合が発生する事が報告されている。これは、プロジェクタ１、２間のＨＰＤがＬへ立ち下がる途中で電源が投入されたために、一時的に電圧が高まってしまい、Ｈと誤認されてしまったためにプロジェクタ１がＥＤＩＤの読み込みを開始してしまったために起きた不具合である。
【００１９】
上記のような不具合は、プロジェクタ２がＢＯＯＴ中のために、ＳＲＡＭ等の不揮発性メモリに格納されたＥＤＩＤが読み込めておらず、プロジェクタ１への伝送が行えないことにより発生する。プロジェクタ１は接続されたプロジェクタ２のＥＤＩＤをコピーできないために、図３に示したフローチャートに示されるように、Ｒｅｐｅａｔｅｒ機器ではなく、プロジェクタ１のみで映像出力をするＳｉｎｋ機器として動作する。そのためにプロジェクタ２以降に接続されたプロジェクタが映像を表示することはなく、図１に示したプロジェクタ１〜４により表示されていた映像が、Ｓｉｎｋ機器として動作するプロジェクタ１により１／４のエリアに表示されることとなる。また、ここではプロジェクタ１、２間を例に示したが、プロジェクタ１、２と同様にＲｅｐｅａｔｅｒ／Ｓｉｎｋ機器とＳｉｎｋ機器の関係にあるプロジェクタ２、３間、プロジェクタ３、４間でも同様の現象が起こる可能性がある。その場合はそれぞれ、プロジェクタ２または３までのプロジェクタによる映像が表示されることになり、以後のプロジェクタによる映像は表示されない。このほか、複数の映像表示機器をデイジーチェーン接続したことで、起動のタイミングが合わずに、規定時間内にＥＤＩＤの読み込みができずに失敗となるために映像が表示されない場合もある。
【００２０】
上記のように、プロジェクタ２がＢＯＯＴのためにＥＤＩＤの読み込みに失敗した場合、プロジェクタ２のＢＯＯＴ完了後にプロジェクタ１がプロジェクタ２のＥＤＩＤ読み込み処理を行い、成功すればスレーブプロジェクタへの映像出力が可能となる。しかしながら、ＥＤＩＤやその要求コマンドを伝送するＤＤＣ／ＣＩラインを使用した通信では、Ｓｉｎｋ機器から上位のＲｅｐｅａｔｅｒ機器やＳｏｕｒｃｅ機器への通信を開始することが出来ない。そのため、上位の機器から下位の機器へ再読み込みのためにＥＤＩＤの伝送要求を送る必要がある。
【００２１】
一方で、プロジェクタ１のようにＲｅｐｅａｔｅｒ機器として動作させたい映像表示機器がＳｉｎｋ機器として動作している場合には、再読み込みを自動で開始する事が理想であるが、その場合にはＳｉｎｋ機器として動作しているプロジェクタ１はＥＤＩＤを読み込む動作を行うために、一時的にＲｅｐｅａｔｅｒ機器となってしまう。この時、プロジェクタ１はＲｅｐｅａｔｅｒでありながら、接続されたＳｉｎｋ側のＥＤＩＤのコピーが完了していないために、ＥＤＩＤが無い状態となってしまい、その間はプロジェクタ１による映像が表示されなくなってしまう。このような映像の途切れが発生しないようにＥＤＩＤの再読み込みを繰り返すシーケンスは通常では組み込まれることは無い。これは、映像規格の認証でも再読み込みを実施することは定められておらず、規格の認証試験でもケーブルを抜き差しすることで解決するようであれば問題は無いという事になっている。
【００２２】
そのため、図４に示した状態から正常に映像を表示させるためには、ユーザが両機器間のケーブルを抜くことで接続を物理的に切断し、繋ぎ直すことで接続手順を再度行う必要がある。繋ぎ直しにより、図２に示した＋５Ｖ供給からの接続手順を再実行させることで、ＥＤＩＤを再読み込みさせるのである。
【００２３】
また、スタンバイ状態であることや電源が入っていないためにＳｉｎｋ側機器での映像表示が行われない場合には、Ｓｉｎｋ機器の電源を投入後に起動処理の完了を待ってＥＤＩＤの再読み込みを行う事で映像を表示させることが可能となる。
【００２４】
不具合の原因は表１に示した原因以外にもいくつかあるが、図４に示したような特定の映像表示機器以後の映像表示機器が映像を表示しないような、ケーブルの断線や装置に由来する原因でない場合には、ＨＤＭＩケーブルを繋ぎ直すことで解決することが多く報告されている。その場合、プロジェクタ２は動作しているという事である。そのため、このような映像不具合が発生した場合、上述したケーブルの繋ぎなおし動作によって殆ど解決するが、この場合、ユーザ側での操作が必要となる。天井に設置されているプロジェクタなどではケーブルの繋ぎなおしに手間が掛るだけではなく、操作自体が困難であるという問題があった。
【００２５】
本発明は、多数の映像表示機器をデイジーチェーン接続した時の映像表示機器間のＥＤＩＤ伝送トラブルによる不具合発生の防止、もしくは、不具合からの復旧をユーザ側に負担をかけることなく行うものである。
【課題を解決するための手段】
【００２６】
本発明によるマルチ表示システムは、ＥＤＩＤを用いて機器間認証を行い、電源供給用のピンおよびホットプラグ検出用のピンを備えたコネクタが使用されるインターフェースによりＳｏｕｒｃｅ機器にマスタ映像表示機器と少なくとも１以上のスレーブ映像表示機器がデイジーチェーン接続されるマルチ表示システムであって、
前記マスタ映像表示機器およびスレーブ映像表示機器は、前記ＥＤＩＤの伝送が行われる第１のケーブルと異なる第２のケーブルによりネットワーク接続され、電源投入後に、前記マスタ映像表示機器およびスレーブ映像表示機器は、前記スレーブ映像表示機器のすべての電源がＯＮとなったことを確認する電源確認動作を行い、その後、前記マスタ映像表示機器およびスレーブ映像表示機器は、機器判別動作として、前記第１のケーブルを用いて前記ホットプラグ検出用のピンの確認を行い、Ｌｏｗである場合にはＳｉｎｋ機器として動作し、Ｈｉｇｈである場合には前記ＥＤＩＤの伝送要求を行い、前記ＥＤＩＤの受信に成功した場合にはＲｅｐｅａｔｅｒ機器として動作し、前記ＥＤＩＤの受信に所定数失敗した場合には、Ｓｉｎｋ機器として動作する。
【００２７】
本発明によるマスタ映像表示機器は、ＥＤＩＤを用いて機器間認証を行い、電源供給用のピンおよびホットプラグ検出用のピンを備えたコネクタが使用されるインターフェースにより、Ｓｏｕｒｃｅ機器と少なくとも１以上のスレーブ映像表示機器との間にデイジーチェーン接続されるマスタ映像表示機器であって、
前記スレーブ映像表示機器と、前記ＥＤＩＤの伝送が行われる第１のケーブルと異なる第２のケーブルによりネットワーク接続され、電源投入後に、前記スレーブ映像表示機器とともに、前記スレーブ映像表示機器のすべての電源がＯＮとなったことを確認する電源確認動作を行い、その後、機器判別動作として、前記第１のケーブルを用いて前記ホットプラグ検出用のピンの確認を行い、Ｌｏｗである場合にはＳｉｎｋ機器として動作し、Ｈｉｇｈである場合には前記ＥＤＩＤの伝送要求を行い、前記ＥＤＩＤの受信に成功した場合にはＲｅｐｅａｔｅｒ機器として動作し、前記ＥＤＩＤの受信に所定数失敗した場合には、Ｓｉｎｋ機器として動作する。
【００２８】
本発明によるスレーブ映像表示機器は、ＥＤＩＤを用いて機器間認証を行い、電源供給用のピンおよびホットプラグ検出用のピンを備えたコネクタが使用されるインターフェースによりＳｏｕｒｃｅ機器とマスタ映像表示機器とデイジーチェーン接続される少なくとも１以上のスレーブ映像表示機器であって、
前記マスタ映像表示機器と、前記ＥＤＩＤの伝送が行われる第１のケーブルと異なる第２のケーブルによりネットワーク接続され、電源投入後に、前記マスタ映像表示機器とともに、前記スレーブ映像表示機器のすべての電源がＯＮとなったことを確認する電源確認動作を行い、その後、機器判別動作として、前記第１のケーブルを用いて前記ホットプラグ検出用のピンの確認を行い、Ｌｏｗである場合にはＳｉｎｋ機器として動作し、Ｈｉｇｈである場合には前記ＥＤＩＤの伝送要求を行い、前記ＥＤＩＤの受信に成功した場合にはＲｅｐｅａｔｅｒ機器として動作し、前記ＥＤＩＤの受信に所定数失敗した場合には、Ｓｉｎｋ機器として動作する。
【００２９】
本発明による表示不具合発生防止方法は、ＥＤＩＤを用いて機器間認証を行い、電源供給用のピンおよびホットプラグ検出用のピンを備えたコネクタが使用されるインターフェースによりＳｏｕｒｃｅ機器にマスタ映像表示機器と少なくとも１以上のスレーブ映像表示機器がデイジーチェーン接続されるマルチ表示システムで行われる表示不具合発生防止方法であって、
前記マスタ映像表示機器およびスレーブ映像表示機器は、前記ＥＤＩＤの伝送が行われる第１のケーブルと異なる第２のケーブルによりネットワーク接続され、電源投入後に、前記マスタ映像表示機器およびスレーブ映像表示機器は、前記スレーブ映像表示機器のすべての電源がＯＮとなったことを確認する電源確認動作を行い、その後、前記マスタ映像表示機器およびスレーブ映像表示機器は、機器判別動作として、前記第１のケーブルを用いて前記ホットプラグ検出用のピンの確認を行い、Ｌｏｗである場合にはＳｉｎｋ機器として動作し、Ｈｉｇｈである場合には前記ＥＤＩＤの伝送要求を行い、前記ＥＤＩＤの受信に成功した場合にはＲｅｐｅａｔｅｒ機器として動作し、前記ＥＤＩＤの受信に所定数失敗した場合には、Ｓｉｎｋ機器として動作する。
【発明の効果】
【００３０】
本発明によれば、多数の映像表示機器をデイジーチェーン接続した時の映像表示機器間のＥＤＩＤ伝送トラブルによる不具合発生の防止、もしくは、不具合からの復旧をユーザ側に負担をかけることなく行うことが可能となる。
【図面の簡単な説明】
【００３１】
【図１】プロジェクタを用いたマルチ表示システムの一例を示す図である。
【図２】Ｓｏｕｒｃｅ機器とＳｉｎｋ機器の接続時の処理を時系列で示す図である。
【図３】映像表示機器がＲｅｐｅａｔｅｒ、Ｓｉｎｋのいずれであるかを判別する動作を示すフローチャートである。
【図４】不具合が発生したマルチ表示システムを示す図である。
【図５】本発明によるマルチ表示システムを示す図である。
【図６】本発明の本実施形態で使用しているプロジェクタ１の内部構成を示すブロック図である。
【図７】複数のプロジェクタの入出力部の接続を示す図である。
【図８】本発明の実施形態にて、映像表示に不具合が発生することを防止するために制御部によって行われるシーケンス制御を示すフローチャートである。
【発明を実施するための形態】
【００３２】
本発明では、マルチ表示を目的としたシステムにおいて、各プロジェクタを有線／無線ＬＡＮやＲＳ２３２Ｃ等の同一ネットワークで接続する事でプロジェクタ間の情報通信を可能とし、通信により取得した情報を活用したシーケンスによって、ＥＤＩＤのコピーに失敗した場合、スレーブプロジェクタがＯＦＦ状態、または、スレーブプロジェクタがスタンバイ状態の為に映像表示がされない場合について対策シーケンスを組み込む事でマルチ表示を正常に行うものである。
【００３３】
ＥＤＩＤのコピーに失敗することの原因としては、前述したように、スレーブプロジェクタの準備が整っていないにもかかわらずマスタプロジェクタから＋５Ｖの供給を受けてしまう等の要因によってＨＰＤが一時的にＨとなってしまい、ＥＤＩＤのコピーを開始してしまうことが挙げられる。そこで、本発明では、マスタプロジェクタとスレーブプロジェクタが接続された直後にはマスタプロジェクタは＋５Ｖを供給せず、情報通信によってスレーブプロジェクタ状況を取得する。
【００３４】
ＥＤＩＤのコピーは＋５Ｖ供給後にＨＰＤがＨとなることで開始されるので、情報通信によってスレーブプロジェクタの起動を確認した後に＋５Ｖを供給する事で、ＢＯＯＴ中によるＥＤＩＤのコピー失敗を確実に防止する事が可能となり、映像表示不具合を防止できる。
【００３５】
一方で、スレーブプロジェクタがスタンバイ状態やＯＦＦ状態の場合には、マスタプロジェクタは情報通信により、スレーブプロジェクタの状況が解るので、マスタプロジェクタから起動コマンドを送信する事で、映像表示不具合の防止が可能となる。
【００３６】
上記の通信によってスレーブプロジェクタの状況を取得し、マスタプロジェクタがコントロールするシーケンスによって映像表示不具合を防止するのである。
【００３７】
次に、本発明の実施形態について図面を参照して説明する。
（第１の実施形態）
図５は本発明によるプロジェクタを用いたマルチ表示システムの一実施形態の構成を示す図である。本実施形態は、デイジーチェーン接続時の映像表示の不具合の発生をシーケンス制御により防止するものである。装置構成は図１および図４に示した構成と同様であるため、図５においては、図１および図４で説明した構成については、図１および図４と同じ番号を付して説明は省略する。
【００３８】
４台のプロジェクタ１〜４は、Ｓｏｕｒｃｅ機器であるＰＣ５とデイジーチェーン接続されるとともに、ＬＡＮケーブル８により相互に接続されてプロジェクタ間の情報通信を可能とされている。
【００３９】
本実施形態ではプロジェクタ１〜４はランプ光源を使用しているものとして説明するが、本発明における映像表示機器はランプ光源を使用するプロジェクタに限定されるものではない。また、ＰＣ５とマスタプロジェクタ間、各プロジェクタ間の接続にはＨＤＭＩケーブル６が使用されている。なお、本実施形態ではＨＤＭＩを使用しているが、ＤＶＩ（Ｄｉｇｉｔａｌ  Ｖｉｓｕａｌ  Ｉｎｔｅｒｆａｃｅ：ディジタル  ビジュアル  インターフェース）、ＤＰ（ＤｉｓｐｌａｙＰｏｒｔ：ディスプレイポート）などのようにＨＤＭＩと異なるインターフェースを使用する場合であっても、本実施形態と同様のシーケンス制御を導入する事が可能である。
【００４０】
同様に、本実施形態ではなお、本実施形態では、各プロジェクタはＬＡＮケーブル８を用いる有線ＬＡＮが使用されているが、有線ＬＡＮに限らず、無線ＬＡＮやＲＳ２３２Ｃ等の何らかの通信手段により各プロジェクタ間が通信を行える環境であれば、本実施形態と同様のシーケンスを導入することができる。
【００４１】
図６は本実施形態で使用しているプロジェクタ１の内部構成を示すブロック図である。図６にはプロジェクタ１として示しているが、マルチ表示システムを構成する他のプロジェクタ２〜４もプロジェクタ１と同じ構成の物が用いられる。
【００４２】
プロジェクタ１は、入力端子（ＨＤＭＩ  ＩＮ（イン））１１、出力端子（ＨＤＭＩ  ＯＵＴ（アウト））１２、映像送受信部２０、映像信号処理部３０、駆動部４０、表示部５０、制御部６０、記憶部７０を有する。映像送受信部２０は受信部（ＨＤＭＩ  Ｒｅｃｅｉｖｅｒ（レシーバ））２１と送信部（ＨＤＭＩ  Ｔｒａｎｓｍｉｔｔｅｒ（トランスミッタ））２２から構成されている。各部は制御部６０とバス（Ｉ２Ｃ、ＢＵＳ）６１により接続されている。制御部６０は記憶部７０に格納されているプログラムに応じて各部の動作を制御する。制御部６０はＣＰＵ（Ｃｅｎｔｒａｌ  Ｐｒｏｃｅｓｓｉｎｇ  Ｕｎｉｔ：セントラル  プロセッシング  ユニット）により構成されるもので、制御部６０は記憶部７０とともにコンピュータを構成しており、プロジェクタ１はコンピュータを内蔵しているともいえる。制御部６０はＬＡＮケーブル８を介して他のプロジェクタの制御部６０と通信を行っている。
【００４３】
入力端子１１はＳｏｕｒｃｅ機器であるＰＣ５とＨＤＭＩケーブル６を介して接続され、映像信号および制御信号を受信する。入力端子１１に入力された映像信号は映像送受信部２０の受信部２１で受信され、受信部２１にてシリアル―パラレル変換、信号レベル変換や制御信号に含まれるタイミング信号のデコードなどが行われる。
【００４４】
受信部２１で変換等の処理が施された映像信号は映像信号処理部３０へ送られる。映像信号処理部３０では、映像送受信部２０から送られた映像信号に、解像度変換、γ補正や台形歪み補正などの信号処理を行い、駆動部４０へ送る。駆動部４０は、映像信号処理部３０から送られた映像信号に応じて表示部５０を構成する表示素子や光源（ともに不図示）などを駆動して画像光を作成し、表示部５０の投写レンズ５１より画像光を射出させる。換言すると、表示部５０は、入力された映像信号に対応する映像を形成する（表示する）。
【００４５】
プロジェクタ１〜３には、出力端子１２にＲｅｐｅａｔｅｒ／Ｓｉｎｋ機器として下位のプロジェクタが接続されているので、入力された信号は送信部２２を介して出力端子１２、ＨＤＭＩケーブル６を介して下位のプロジェクタに送られる。入力端子１１と出力端子１２にはＨＤＭＩが使用されており、映像信号を伝送する映像ラインのほかに、接続機器に＋５Ｖを供給する電源ライン、接続を通知するＨＰＤライン、機器間で制御信号、情報等をやり取りするＤＤＣ／ＣＩライン等から成る。図７は、各ラインを含めた入出力部の接続を示す図である。
【００４６】
図７での各機器間の接続は既に述べたようにＨＤＭＩケーブル６で行われ、また、ＬＡＮケーブル８によっても行われているが、図６と同様に映像ラインの表記は省略している。正常な映像表示のためには、プロジェクタ１〜３はＲｅｐｅａｔｅｒ機器として、下位に接続されたＲｅｐｅａｔｅｒ／Ｓｉｎｋ機器からのＥＤＩＤのコピーが必要である。各機器間でのＥＤＩＤの伝送手順は既に背景技術で述べたように、＋５Ｖの供給から開始され、下位に接続されたプロジェクタはＨＰＤをＨとすることで接続された機器があることを通知し、ＤＤＣ／ＣＩラインを通じてＥＤＩＤの伝送要求と伝送が行われる。４台のプロジェクタで正常に映像を表示するには、上位側のＲｅｐｅａｔｅｒ機器がＳｉｎｋ機器のＥＤＩＤをコピーする必要があるため、下位側の装置から電源投入をすることで、プロジェクタ４のＥＤＩＤをプロジェクタ３がコピーし、それをプロジェクタ２、プロジェクタ１が順次コピーしてＳｏｕｒｃｅ機器へ通知する必要がある。図４に示した状態では、プロジェクタ２を含め、プロジェクタ２以降のプロジェクタによる映像が表示されていない。これは、プロジェクタ１が下位のプロジェクタのＥＤＩＤのコピーに失敗している事を示している。
【００４７】
図７は、本実施形態にて、映像表示に不具合が発生することを防止するために制御部６０によって、マスタプロジェクタであるプロジェクタ１、スレーブプロジェクタであるプロジェクタ２〜４で行われる制御を示すフローチャートである。
【００４８】
図３に示したフローチャートが、映像表示機器が、Ｓｉｎｋ機器、Ｒｅｐｅａｔｅｒ機器のいずれであるかを判断する通常のシーケンス制御を示すものであるのに対し、図７に示すフローチャートでは、ＥＤＩＤの読み込みのトラブルそのものを防ぐシーケンス制御が加えられている。
【００４９】
本実施形態では、マスタプロジェクタ１は、起動時にＨＤＭＩケーブル６とは別の通信ラインであるＬＡＮケーブル８を用いて、下位に接続されたプロジェクタ２〜４の状況を通信により取得し、準備が整ってから＋５Ｖの供給を行うという条件づけによって、ＢＯＯＴ中などの理由によってＥＤＩＤの伝送エラーが発生することを防止している。
【００５０】
なお、図７は基本的にはマスタプロジェクタ（プロジェクタ１）の動作を示すものであり、右上のステップＳ８１０〜Ｓ８１３に示される動作のみがスレーブプロジェクタ（プロジェクタ２〜４）で行われる。
【００５１】
各プロジェクタの記憶部７０（図６参照）には、図７に示したシステム構成が登録され、また、自機がマスタプロジェクタ、スレーブプロジェクタのいずれであるかが登録されている。この登録は、装置利用者が行うもので、各プロジェクタに設けられた入力手段（不図示）により登録が行われる。また、ＬＡＮケーブル８を介して登録を行う構成とすることもでき、その方法は特に限定されない。ステップＳ８１４〜Ｓ８２０で行われる動作は、図３に示したステップＳ１〜Ｓ７で行われる動作と同様である。
【００５２】
図８に示すように、マスタプロジェクタであるプロジェクタ１、スレーブプロジェクタであるプロジェクタ２〜４がＯＮとなり、これに伴い、各プロジェクタは起動する。このとき、プロジェクタ２〜４は起動が完了したことを示す電源ＯＮコマンドをプロジェクタ１に通知する(ステップＳ８１０)。一方、プロジェクタ１の制御部６０は、３５秒以内にすべてのスレーブプロジェクタからの電源ＯＮコマンドの受信に成功したかを確認する(ステップＳ８０１)。
【００５３】
ステップＳ１における、電源ＯＮコマンドの受信確認のための待機時間を３５秒としているが、これは構成するプロジェクタのランプの点灯に３０秒の時間が必要であると仮定し、その為、起動に必要な時間も３０秒であり、複数台のスレーブプロジェクタの起動を待つために、起動のタイミングを考慮して３５秒としたものである。例えば、映像表示機器がレーザー光源のプロジェクタであれば、起動も高速なため、５秒程度に設定することも出来る。このように、待機時間は映像表示機器に合わせて設定可能である。
【００５４】
ステップＳ８０１において、待機時間である３５秒以内に、全てのスレーブプロジェクタからの電源ＯＮコマンドの受信に失敗したことを確認した場合、マスタプロジェクタの制御部６０は、起動準備完了の通知を行わなかったプロジェクタがスタンバイ状態や電源ＯＦＦ状態などの起動に失敗していることも考えられるため、電源ＯＮコマンドを通知しなかったスレーブプロジェクタに対して自身のステータスを報告するように要求する。具体的には、スレーブプロジェクタと通信することにより起動状態であることを確認した後に（ステップＳ８０２）、全てのスレーブプロジェクタの電源がＯＮであるかを確認する（ステップＳ８０３）。全てのスレーブプロジェクタの電源がＯＮであることが確認された場合には、ステップＳ８０５へ移行する。
【００５５】
ステップＳ８０３において、いずれかのスレーブプロジェクタの電源がＯＦＦであることが確認された場合、マスタプロジェクタは、電源がＯＦＦであることが確認されたプロジェクタに対して有線ＬＡＮ等の通信手段を用いて電源ＯＮを要求するコマンドを送り（ステップＳ８０４）、プロジェクタの電源を投入させる。これにより、電源がＯとなっていたスレーブプロジェクタは電源をＯＮとし、マスタプロジェクタに対して起動が完了したことを通知し（ステップＳ８１２）、該通知を受けたマスタプロジェクタはステップＳ８０５へ移行する。
【００５６】
マスタプロジェクタは、ステップＳ８０１において、待機時間である３５秒以内に、全てのスレーブプロジェクタからの電源ＯＮコマンドの受信に成功したことを確認した場合、ステップＳ８０５へ移行する。ステップＳ８０５では、マスタプロジェクタは末端のＲｅｐｅａｔｅｒ機器であるプロジェクタ３に＋５ＶラインをＯＮとする要求を送る。その後、プロジェクタ３からの通知を受けるまで待機する（ステップＳ８０６）。
【００５７】
ステップＳ８０５における＋５ＶラインをＯＮとする要求を受け付けたプロジェクタ３は、図２に示した手順に従って、接続されているプロジェクタ４のＥＤＩＤを読み出してコピーし、コピーに成功したことをマスタプロジェクタに通知する（ステップＳ８１２）。
【００５８】
プロジェクタ３からのコピー成功の通知を受けたマスタプロジェクタは、自機に接続されているＲｅｐｅａｔｅｒ機器であるプロジェクタ２に＋５ＶラインをＯＮとする要求を送り(ステップＳ８０７)、その後、プロジェクタ２からの通知を受けるまで待機する（ステップＳ８０８）。
【００５９】
ステップＳ８０７における＋５ＶラインをＯＮとする要求を受け付けたプロジェクタ２は、図２に示した手順に従って、接続されているプロジェクタ３のＥＤＩＤを読み出してコピーし、コピーに成功したことをマスタプロジェクタに通知する（ステップＳ８１３）。
【００６０】
プロジェクタ２からのコピー成功の通知を受けたマスタプロジェクタは、自身の＋５ＶラインをＯＮとする(ステップＳ８０９)。
【００６１】
この後のステップＳ８１４〜Ｓ８２０で行われる機器判別動作は、図３に示したステップＳ１〜Ｓ７で行われる動作と同様のことが行われる。なお、図８では、ステップＳ８１４〜Ｓ８２０はマスタプロジェクタでのみ行われるものとして示されているが、ステップＳ８１４〜Ｓ８２０は各スレーブプロジェクタ２〜４においても行われる。
【００６２】
本実施形態では、ＥＤＩＤのコピーを行うための＋５Ｖ供給やＥＤＩＤ伝送を行うＨＤＭＩケーブル６とは異なるＬＡＮケーブル８を用いたネットワークにより各プロジェクタは情報通信が可能とされている。ＥＤＩＤ伝送を行うためのマスタプロジェクタによる＋５Ｖ供給は、ＬＡＮケーブル８を用いたネットワークにより、スレーブプロジェクタの電源がＯＮであることを確認した後に行われるので、ＢＯＯＴ中によるＥＤＩＤのコピー失敗を確実に防止する事が可能となる。
【００６３】
ステップＳ８０５〜Ｓ８０９、Ｓ８１２、Ｓ８１３における伝送はＨＤＭＩケーブル６を用いて行われる。これらの各ステップで行われる動作（ＥＤＩＤコピー動作）は、プロジェクタ４のＥＤＩＤをプロジェクタ２にコピーし、マスタプロジェクタであるプロジェクタ１によるＥＤＩＤの読み込みをより確実に行うためのものであり、省略することも可能である。本発明において最も重要なことは、＋５Ｖ供給の前に各プロジェクタの電源が確実にＯＮとなったことを確認する電源確認動作を行うことであり、ステップＳ８０１、ステップＳ８０３、または、ステップＳ８１１の後に、ステップＳ８１４に移行することとしてもよい。
【００６４】
以上説明した各実施形態において、図示した構成は単なる一例であって、本発明はその構成に限定されるものではない。
【００６５】
上記の実施形態の一部又は全部は、以下のようにも記載されうるが、以下の構成には限られない。
（付記１）  ＥＤＩＤを用いて機器間認証を行い、電源供給用のピンおよびホットプラグ検出用のピンを備えたコネクタが使用されるインターフェースによりＳｏｕｒｃｅ機器にマスタ映像表示機器と少なくとも１以上のスレーブ映像表示機器がデイジーチェーン接続されるマルチ表示システムであって、
前記マスタ映像表示機器およびスレーブ映像表示機器は、前記ＥＤＩＤの伝送が行われる第１のケーブルと異なる第２のケーブルによりネットワーク接続され、電源投入後に、前記マスタ映像表示機器およびスレーブ映像表示機器は、前記スレーブ映像表示機器のすべての電源がＯＮとなったことを確認する電源確認動作を行い、その後、前記マスタ映像表示機器およびスレーブ映像表示機器は、機器判別動作として、前記第１のケーブルを用いて前記ホットプラグ検出用のピンの確認を行い、Ｌｏｗである場合にはＳｉｎｋ機器として動作し、Ｈｉｇｈである場合には前記ＥＤＩＤの伝送要求を行い、前記ＥＤＩＤの受信に成功した場合にはＲｅｐｅａｔｅｒ機器として動作し、前記ＥＤＩＤの受信に所定数失敗した場合には、Ｓｉｎｋ機器として動作するマルチ表示システム。
（付記２）  付記１記載のマルチ表示システムにおいて、
前記電源確認動作後、前記機器判別動作の前に、前記マスタ映像表示装置は前記第１のケーブルを用いて前記スレーブ映像表示機器に対して前記ＥＤＩＤを自身に接続されている前記スレーブ映像表示機器までコピーさせる要求を行うマルチ表示システム。
（付記３）  ＥＤＩＤを用いて機器間認証を行い、電源供給用のピンおよびホットプラグ検出用のピンを備えたコネクタが使用されるインターフェースにより、Ｓｏｕｒｃｅ機器と少なくとも１以上のスレーブ映像表示機器との間にデイジーチェーン接続されるマスタ映像表示機器であって、
前記スレーブ映像表示機器と、前記ＥＤＩＤの伝送が行われる第１のケーブルと異なる第２のケーブルによりネットワーク接続され、電源投入後に、前記スレーブ映像表示機器とともに、前記スレーブ映像表示機器のすべての電源がＯＮとなったことを確認する電源確認動作を行い、その後、機器判別動作として、前記第１のケーブルを用いて前記ホットプラグ検出用のピンの確認を行い、Ｌｏｗである場合にはＳｉｎｋ機器として動作し、Ｈｉｇｈである場合には前記ＥＤＩＤの伝送要求を行い、前記ＥＤＩＤの受信に成功した場合にはＲｅｐｅａｔｅｒ機器として動作し、前記ＥＤＩＤの受信に所定数失敗した場合には、Ｓｉｎｋ機器として動作するマスタ映像表示機器。
（付記４）  付記３記載のマスタ映像表示機器において、
前記電源確認動作後、前記機器判別動作の前に、前記第１のケーブルを用いて前記スレーブ映像表示機器に対して前記ＥＤＩＤを自身に接続されている前記スレーブ映像表示機器までコピーさせる要求を行うマスタ映像表示機器。
（付記５）  ＥＤＩＤを用いて機器間認証を行い、電源供給用のピンおよびホットプラグ検出用のピンを備えたコネクタが使用されるインターフェースによりＳｏｕｒｃｅ機器とマスタ映像表示機器とデイジーチェーン接続される少なくとも１以上のスレーブ映像表示機器であって、
前記マスタ映像表示機器と、前記ＥＤＩＤの伝送が行われる第１のケーブルと異なる第２のケーブルによりネットワーク接続され、電源投入後に、前記マスタ映像表示機器とともに、前記スレーブ映像表示機器のすべての電源がＯＮとなったことを確認する電源確認動作を行い、その後、機器判別動作として、前記第１のケーブルを用いて前記ホットプラグ検出用のピンの確認を行い、Ｌｏｗである場合にはＳｉｎｋ機器として動作し、Ｈｉｇｈである場合には前記ＥＤＩＤの伝送要求を行い、前記ＥＤＩＤの受信に成功した場合にはＲｅｐｅａｔｅｒ機器として動作し、前記ＥＤＩＤの受信に所定数失敗した場合には、Ｓｉｎｋ機器として動作するスレーブ映像表示機器。
（付記６）  ＥＤＩＤを用いて機器間認証を行い、電源供給用のピンおよびホットプラグ検出用のピンを備えたコネクタが使用されるインターフェースによりＳｏｕｒｃｅ機器にマスタ映像表示機器と少なくとも１以上のスレーブ映像表示機器がデイジーチェーン接続されるマルチ表示システムで行われる表示不具合発生防止方法であって、
前記マスタ映像表示機器およびスレーブ映像表示機器は、前記ＥＤＩＤの伝送が行われる第１のケーブルと異なる第２のケーブルによりネットワーク接続され、電源投入後に、前記マスタ映像表示機器およびスレーブ映像表示機器は、前記スレーブ映像表示機器のすべての電源がＯＮとなったことを確認する電源確認動作を行い、その後、前記マスタ映像表示機器およびスレーブ映像表示機器は、機器判別動作として、前記第１のケーブルを用いて前記ホットプラグ検出用のピンの確認を行い、Ｌｏｗである場合にはＳｉｎｋ機器として動作し、Ｈｉｇｈである場合には前記ＥＤＩＤの伝送要求を行い、前記ＥＤＩＤの受信に成功した場合にはＲｅｐｅａｔｅｒ機器として動作し、前記ＥＤＩＤの受信に所定数失敗した場合には、Ｓｉｎｋ機器として動作する表示不具合発生防止方法。
（付記７）  付記６記載の表示不具合発生防止方法において、
前記電源確認動作後、前記機器判別動作の前に、前記マスタ映像表示装置は前記第１のケーブルを用いて前記スレーブ映像表示機器に対して前記ＥＤＩＤを自身に接続されている前記スレーブ映像表示機器までコピーさせる要求を行う表示不具合発生防止方法。
【符号の説明】
【００６６】
１    プロジェクタ
５    ＰＣ
６    ＨＤＭＩケーブル
１１    入力端子
１２    出力端子
２０    映像送受信部
２１    受信部
２２    送信部
３０    映像信号処理部
４０    駆動部
５０    表示部
５１    投写レンズ
６０    制御部
６１    バス
７０    記憶部
【図１】
2017156414.tif 000004
【図２】
2017156414.tif 000005
【図３】
2017156414.tif 000006
【図４】
2017156414.tif 000007
【図５】
2017156414.tif 000008
【図６】
2017156414.tif 000009
【図７】
2017156414.tif 000010
【図８】
2017156414.tif 000011